(57)【要約】      （修正有）【課題】簡素な構造によって上方位置にあるクランパーをフレーム上部と略平行となるよう保持することで、ディスクを搬送するための空間を確保しつつ薄型化が可能なクランパーを備えたディスク装置を提供する。【解決手段】フレームに対して揺動可能に取付けられた支持部材１３のクランパー取付部分１３ａに少なくともクランパー本体１２ａとプレート部材１２ｃで構成されるクランパーを取付ける。前記クランパーがターンテーブルから離間するときにプレート部材１２ｃの下面に当接する凸部１３ｄ，１３ｄをクランパー取付部分１３ａに形成し、前記クランパーが上方位置にあるとき、クランパー本体１２ａの一部がフレーム上部の下面と当接し、凸部１３ｄ，１３ｄを支点に前記フレーム上部に対して前記クランパーが略平行に保持される。【選択図】図１４
0003168146.tif 000002
【実用新案登録請求の範囲】
【請求項１】
フレームと、前記フレームの上面において一部を覆うフレーム上部と、前記フレームに対して揺動可能に取着されたクランパー取付部を有する支持部材と、前記クランパー取付部に対して回転可能に取着されたクランパーと、前記クランパーと対向する位置に設けたターンテーブルと、を備え、前記フレーム内で前記クランパーと前記ターンテーブルによってディスクを回転可能に挟持するディスク装置であって、前記クランパーは、前記クランパー取付部の下方側で前記ターンテーブルとともに前記ディスクを挟持する部分を有するクランパー本体と、前記クランパー取付部の上方側で前記クランパー本体が前記クランパー取付部より外れるのを防止するプレート部材と、により構成し、また、前記クランパーは、前記フレーム上部の下面側において対向する前記ターンテーブルに対し離間して前記ディスクの搬送を可能とする上方位置と、前記フレーム上部の下面側において対向する前記ターンテーブルに対し近接して前記ターンテーブルとともに前記ディスクを回転可能に挟持する下方位置と、の間で前記支持部材の揺動動作によって移動可能とし、前記クランパー取付部には前記ターンテーブルから離間するときに前記プレート部材の下面に当接する凸部を形成し、前記クランパーが上方位置へ移動したときに前記クランパー本体の一部と前記フレーム上部の下面が当接し、前記プレート部材と前記凸部の当接部分を支点に前記クランパーが前記フレーム上部と略平行となることを特徴とするクランパーを備えたディスク装置。
【請求項２】
前記フレーム上部には円形状孔を形成し、前記クランパーが上方位置へ移動したときに前記円形状孔内を前記プレート部材が挿通することを特徴とする請求項１に記載のクランパーを備えたディスク装置。
【請求項３】
前記支持部材は付勢手段によってクランパーが下方位置となる方向へ常時付勢されており、前記フレームにはスライダーを摺動可能に取着し、前記スライダーには高位置と低位置を傾斜部によって連結したカム部を設け、前記支持部材には前記カム部に当接する当接部を形成し、一方、前記フレームにはディスクの挿入口を形成し、前記挿入口より挿入されたディスクの記録面側より前記ディスクの外周縁に当接するローラーを設け、前記ローラーは前記スライダーの摺動動作に連動して昇降動可能とし、前記ディスク装置にディスクが挿入されていないときには、前記当接部が前記カム部の高位置にあるよう前記スライダーを摺動させて前記付勢手段に抗して前記クランパーが上方位置にあるよう前記支持部材を強制的に揺動させるとともに前記ローラーは前記挿入口より挿入されたディスクの外周縁に当接可能な位置まで上昇し、前記ディスク装置にディスクが挿入されて前記ディスクがターンテーブルにより回転可能な位置に搬送されたときには、前記当接部が前記カム部の低位置にあるよう前記スライダーを摺動させて前記付勢手段によって前記クランパーが下方位置へ移動して前記ディスクを前記ターンテーブル側へ押下げるとともに、前記ローラーは前記ディスクの外周縁より離間する位置まで下降することを特徴とする請求項１または請求項２の何れかに記載のクランパーを備えたディスク装置。
【考案の詳細な説明】
【技術分野】
【０００１】
本考案は、例えば、ＣＤ、ＤＶＤ、或いはブルーレイディスク等と称される円盤形状を成した記憶媒体たるディスクをターンテーブルとともに回転可能に挟持するクランパーを備えたディスク装置に関するものである。
【背景技術】
【０００２】
ディスク装置とは、記憶媒体たるディスクを内部に装填し、前記ディスクに記録されている情報を読出し再生する、或いは、前記ディスクに対し情報を書込み記録する機能を備えた装置全般の総称である。具体的にディスク装置を備えた機器について詳述すれば、音声情報が記録されたＣＤ（Ｃｏｍｐａｃｔ  Ｄｉｓｃ）の再生を可能とするＣＤ  ＰＬＡＹＥＲや、音声情報及び映像情報が記録されたＤＶＤ（Ｄｉｇｉｔａｌ  Ｖｅｒｓａｔｉｌｅ  Ｄｉｓｃ）の再生を可能とするＤＶＤ  ＰＬＡＹＥＲ、また、前記ＣＤやＤＶＤに対する再生機能と記録機能とを兼ね備えたＣＤ  ＲＥＣＯＲＤＥＲやＤＶＤ  ＲＥＣＯＲＤＥＲなどがある。さらに、近年では記録情報の大容量化を図った記憶媒体としてブルーレイディスク（Ｂｌｕ−ｒａｙ  Ｄｉｓｃ）があり、このブルーレイディスクに対応したディスク装置および前記ディスク装置を備えた機器もある。
【０００３】
上記ディスク装置には、大別してディスクを装置外部と装置内部の所定位置の間で搬送する手段（以下、単に搬送手段と称す）と、装置内部の所定位置において前記ディスクの再生および／または記録する手段（以下、単に記録／再生手段と称す）とを備えている。
【０００４】
搬送手段の一例を述べれば、ディスク装置の内外において移動可能とするトレイを備え、装置外部においてディスクの交換を可能とするディスク交換位置に搬送する前記トレイ上にディスクを載置して前記ディスクを装置内部の所定位置へと搬送する手段や、ディスク装置に挿入口を設け、前記挿入口の内面側にはローラーを備えて、前記ローラーの回転駆動力により前記挿入口から挿入したディスクを搬送する手段などがある。
【０００５】
また、記録／再生手段としては、装置内部の所定位置においてディスクを回転させるターンテーブルと、回転するディスクにレーザー光を照射して前記ディスクに予め記録されている情報を読出し再生する、或いは前記ディスクに対して情報を書込み記録することが可能な光ピックアップユニットと、を主要部品として備えたトラバースユニットを組み付け、前記ターンテーブルの対向位置には前記ターンテーブルと共にディスクを挟持するクランパーを設け、前記ターンテーブルと前記クランパーによってディスクを挟持した状態で回転させ、前記光ピックアップユニットにより前記ディスクに記録された情報の再生、或いは前記ディスクに対する情報の記録を行う手段が一般的である。
【０００６】
ところで、ディスク装置内部の所定位置にディスクが到達するまでは前記ターンテーブルと前記クランパーは離間し、且つ、搬送されるディスクの搬送軌道を確保する必要がある。特に、挿入口よりディスクを直接挿入可能とする搬送手段を備えたディスク装置であれば、ディスク搬送時にクランパーが接触しないよう、前記クランパーを退避させる必要がある。
【０００７】
特許文献１には、底面部が着磁された磁石をクランパーに嵌め込み、前記クランパーを鋼板からなる支持部材の開口部に遊嵌することで、前記磁石の着磁された底面部が支持部材に吸引されて浮き上がったような状態で支持部材に保持される内容が記載されている。
【０００８】
また、特許文献２には、クランパーを上方位置と下方位置へ移動させる支持部材の先端にバネ部材を取り付け、前記クランパーが上方位置にあるとき、前記バネ部材によって前記クランパーを前記ディスク装置の上面に対して平行とする内容が記載されている。
【０００９】
【特許文献１】特開２００５−１８９５１号公報
【特許文献２】ＷＯ２００８／０５９８２０号公報
【考案の開示】
【考案が解決しようとする課題】
【００１０】
特許文献１の構造によれば、片面側が着磁された磁石と鋼板からなる支持部材を用いることで、ディスクを挟持していない状態で前記クランパーを上方位置へ保持させることは可能となるが、特殊な磁石を使用するためにディスク装置を安価にするのは困難となる。また、磁力によってクランパーを上方位置で退避させるためのスペースが必要となり、高さ方向においてディスク装置の大型化が懸念される。
【００１１】
また、特許文献２の構造によれば、上方位置においてクランパーをディスク装置の上面に対して平行とするために別途バネ部材が必要となる。
【００１２】
本考案は上述した点に鑑みてなされたものであって、その目的とするところは、最小限の部品点数によってディスクの搬送軌道を確保できる位置までクランパーを退避させることができ、且つディスク装置の薄型化が可能なクランパーを備えたディスク装置を提供することにある。
【課題を解決するための手段】
【００１３】
請求項１に係るクランパーを備えたディスク装置は、フレームと、前記フレームの上面において一部を覆うフレーム上部と、前記フレームに対して揺動可能に取着されたクランパー取付部を有する支持部材と、前記クランパー取付部に対して回転可能に取着されたクランパーと、前記クランパーと対向する位置に設けたターンテーブルと、を備え、前記フレーム内で前記クランパーと前記ターンテーブルによってディスクを回転可能に挟持するディスク装置であって、前記クランパーは、前記クランパー取付部の下方側で前記ターンテーブルとともに前記ディスクを挟持する部分を有するクランパー本体と、前記クランパー取付部の上方側で前記クランパー本体が前記クランパー取付部より外れるのを防止するプレート部材と、により構成し、また、前記クランパーは、前記フレーム上部の下面側において対向する前記ターンテーブルに対し離間して前記ディスクの搬送を可能とする上方位置と、前記フレーム上部の下面側において対向する前記ターンテーブルに対し近接して前記ターンテーブルとともに前記ディスクを回転可能に挟持する下方位置と、の間で前記支持部材の揺動動作によって移動可能とし、前記クランパー取付部には前記ターンテーブルから離間するときに前記プレート部材の下面に当接する凸部を形成し、前記クランパーが上方位置へ移動したときに前記クランパー本体の一部と前記フレーム上部の下面が当接し、前記プレート部材と前記凸部の当接部分を支点に前記クランパーが前記フレーム上部と略平行となることを特徴とする。
【００１４】
請求項１の構成によれば、クランパーを上方位置においてフレーム上部に対し略平行となるよう保持する構造を、クランパー取付部に支点となる凸部を形成するという既存部品の形状変更によって対応することで、別途部品を追加することなく、ディスクの搬送軌道を確保することが可能となる。また、フレーム上部に対してクランパーを略平行にすることで、フレーム内で必要とされるディスク搬送軌道のスペースを最小限とし、ディスク装置の高さ寸法を抑えることができるため、薄型化が可能となる。
【００１５】
請求項２に係るクランパーを備えたディスク装置は、請求項１に記載のクランパーを備えたディスク装置であって、前記フレーム上部には円形状孔を形成し、前記クランパーが上方位置へ移動したときに前記円形状孔内を前記プレート部材が挿通することを特徴とする。
【００１６】
請求項２の構成によれば、クランパーが上方位置へ移動したときにクランパーの一部がフレーム上部に形成された円形状孔内に挿通することができるため、さらに薄いディスク装置を提供することが可能となる。
【００１７】
請求項３に係るクランパーを備えたディスク装置は、請求項１または請求項２の何れかに記載のクランパーを備えたディスク装置であって、前記支持部材は付勢手段によってクランパーが下方位置となる方向へ常時付勢されており、前記フレームにはスライダーを摺動可能に取着し、前記スライダーには高位置と低位置を傾斜部によって連結したカム部を設け、前記支持部材には前記カム部に当接する当接部を形成し、一方、前記フレームにはディスクの挿入口を形成し、前記挿入口より挿入されたディスクの記録面側より前記ディスクの外周縁に当接するローラーを設け、前記ローラーは前記スライダーの摺動動作に連動して昇降動可能とし、前記ディスク装置にディスクが挿入されていないときには、前記当接部が前記カム部の高位置にあるよう前記スライダーを摺動させて前記付勢手段に抗して前記クランパーが上方位置にあるよう前記支持部材を強制的に揺動させるとともに前記ローラーは前記挿入口より挿入されたディスクの外周縁に当接可能な位置まで上昇し、前記ディスク装置にディスクが挿入されて前記ディスクがターンテーブルにより回転可能な位置に搬送されたときには、前記当接部が前記カム部の低位置にあるよう前記スライダーを摺動させて前記付勢手段によって前記クランパーが下方位置へ移動して前記ディスクを前記ターンテーブル側へ押下げるとともに、前記ローラーは前記ディスクの外周縁より離間する位置まで下降することを特徴とする。
【００１８】
請求項３の構成によれば、スライダーの摺動動作によってクランパーを取付けた支持部材の揺動動作とディスクを搬送するローラーの昇降動作を連動して行う構造としている。すなわち、ディスクがターンテーブルにより回転可能な位置に搬送されるまでは、クランパーは上方位置にあり、ローラーは挿入口より挿入されたディスクの外周縁に当接する位置まで上昇しているが、前記ディスクがターンテーブルにより回転可能な位置に到達するならば、スライダーの摺動動作によってクランパーが下方位置へ移動して前記ディスクをターンテーブル側へ押下げ、前記ローラーは前記クランパーの移動に合わせて前記ディスクの外周縁より離間する位置まで下降する。その結果、前記クランパーと対向するターンテーブルをディスク装置内部で固定することができるため、ディスク装置を簡素に構成することができ、安価なディスク装置の提供が可能となる。
【考案の効果】
【００１９】
以上のような本考案の構成によれば、フレーム上部の下面近傍において支持部材に取付けられたクランパーを前記フレーム上部と略平行となるよう保持することで、ディスクの搬送軌道を確保しつつ、ディスク装置の薄型化が可能となる。また、前記支持部材のクランパー取付部に凸部を形成し、前記クランパーの一部をフレーム上部の下面に当接させて実現しているため、別途部品を増やすことなく、安価なディスク装置を提供することができる。
【図面の簡単な説明】
【００２０】
【図１】本考案の実施例におけるディスク装置の斜視図。
【図２】本考案の実施例におけるディスク装置の平面図。
【図３】本考案の実施例におけるディスク検知部材およびピニオンギアを示す斜視図。
【図４】本考案の実施例におけるディスク装置の挿入口からディスクの外周縁が第１の当接部にのみ当接するよう挿入した場合を示す部分概略透視図。
【図５】図４の状態から欠歯によって第１のディスク検知部材および第２のディスク検知部材の摺動動作が規制された状態を示すディスク装置の部分概略透視図。
【図６】本考案の実施例におけるディスク装置の挿入口からディスクの外周縁が第２の当接部にのみ当接するよう挿入した場合を示す部分概略透視図。
【図７】図６の状態から欠歯によって第１のディスク検知部材および第２のディスク検知部材の摺動動作が規制された状態を示すディスク装置の部分概略透視図。
【図８】本考案の実施例におけるディスク装置の挿入口からディスクの外周縁が第１の当接部および第２の当接部に当接するよう挿入した場合を示す部分概略透視図。
【図９】図８の状態から第１のディスク検知部材および第２のディスク検知部材が互いに離間した状態を示す部分概略透視図。
【図１０】本考案の実施例におけるローラーの動力伝達機構を示す斜視図。
【図１１】本考案の実施例における揺動部材を示す天面側斜視図。
【図１２】本考案の実施例における揺動部材を示す底面側斜視図。
【図１３】本考案の実施例におけるディスク装置の底面側斜視図。
【図１４】本考案の実施例におけるクランパーの構造を示す分解斜視図。
【図１５】本考案の実施例におけるフレーム単体の正面側斜視図。
【図１６】本考案の実施例におけるクランパーが上方位置にある状態を示す前記クランパー近傍の側面側概略部分拡大図。
【図１７】図１６の状態であって、クランパー、支持部材、スライダーの関係を示す斜視図。
【図１８】本考案の実施例におけるクランパーが下方位置にある状態を示す前記クランパー近傍の側面側概略部分拡大図。
【図１９】図１８の状態であって、クランパー、支持部材、スライダーの関係を示す斜視図。
【図２０】本考案の実施例におけるスライダー単体の天面側斜視図。
【図２１】本考案の実施例におけるスライダー単体の底面側斜視図。
【図２２】本考案の実施例におけるディスク挿入前の状態を示すディスク装置の概略透視平面図。
【図２３】本考案の実施例におけるディスクを挿入して支持レバーが揺動した状態を示すディスク装置の概略透視平面図。
【図２４】本考案の実施例におけるスライダーが摺動してディスクの挿入が完了した状態を示すディスク装置の概略透視平面図。
【図２５】本考案の実施例におけるディスク装置の分解斜視図。
【図２６】本考案の実施例におけるトラバースユニットを示す斜視図。
【考案を実施するための形態】
【００２１】
以下、本考案を実施するための最良の形態としての実施例を図１〜図２６を用いて以下に説明する。尚、本考案はその主旨に反しない範囲で、実施例において説明した構成以外のものに対しても容易に適用可能である。
【００２２】
図１は本考案の実施例におけるディスク装置の斜視図である。同図の符号１はディスク装置、２はディスク、３はディスク装置１の外観を構成するフレーム、４はディスク２の挿抜を直接可能とするフレーム３に形成された挿入口である。同図で示すように、ディスク装置１のフレーム３に形成された挿入口４よりユーザーによってディスク２が挿入されたならば、後述するローラーの回転力によって前記ディスク２はディスク装置１内部の所定位置に搬送される。そして、ディスク装置１内部の所定位置に到達したディスク２に対して情報の読み込み或いは情報の書き込みが可能となり、前記ディスク２の再生または記録ができる。
【００２３】
図２は本考案の実施例におけるディスク装置の平面図、図３は本考案の実施例におけるディスク検知部材およびピニオンギアを示す斜視図である。同図で示すように、挿入口４の近傍におけるフレーム３の上部には、互いに近接または離間する方向へ摺動可能とする第１のディスク検知部材５と第２のディスク検知部材６を備えている。前記第１のディスク検知部材５には第１のラックギア５ａを形成し、前記第２のディスク検知部材６には第２のラックギア６ａを形成し、前記第１のラックギア５ａと前記第２のラックギア６ａにそれぞれ噛合するピニオンギア７を備えた構造としている。そして、前記第１のディスク検知部材５および前記第２のディスク検知部材６は第１の付勢手段たるコイルスプリング８によって互いに近接する方向へ常時付勢されている。
【００２４】
また、前記第１のディスク検知部材５および前記第２のディスク検知部材６にはそれぞれ挿入口４から挿入されたディスク２の外周縁に当接する第１の当接ピン５ｃおよび第２の当接ピン６ｃが一体に形成されている。挿入口４よりユーザーによって挿入されたディスク２は、最初に前記第１の当接ピン５ｃおよび前記第２の当接ピン６ｃに当接する。そして、前記第１の当接ピン５ｃが一体に形成された第１のディスク検知部材５と前記第２の当接ピン６ｃが一体に形成された第２のディスク検知部材６は、ディスク２を挿入方向へ押圧するユーザーの押圧力により、前記コイルスプリング８の付勢力に抗して互いが離間する方向へと摺動する。
【００２５】
ところで、前記第１のディスク検知部材５に形成された第１のラックギア５ａには、欠歯５ｂが設けられ、前記第２のディスク検知部材６に形成された第１のラックギア６ａには欠歯６ｂが設けられている。これは、ユーザーによって挿入されたディスク２の押圧力によって第１のディスク検知部材５または第２のディスク検知部材６の何れか一方のみが摺動するのを防止するために設けられており、換言すれば、挿入されたディスク２を挿入口４の略中央位置より挿入するための手段としている。
【００２６】
ここで、挿入口４に対するディスク２の挿入について図４〜図９を用いてさらに詳述する。
【００２７】
図４は本考案の実施例におけるディスク装置の挿入口からディスクの外周縁が第１の当接部にのみ当接するよう挿入した場合を示す部分概略透視図である。同図で示すように、挿入口４よりユーザーによってディスク２が前記挿入口４の図示左側から偏って挿入されたならば、前記ディスク２の外周縁が第１のディスク検知部材５に形成された第１の当接ピン５ｃに当接し、前記第１のディスク検知部材５は前記ディスク２の押圧力によって矢印Ａの方向へ摺動する。そして、前記第１のディスク検知部材５の摺動に伴って、第１のラックギア５ａに噛合するピニオンギア７が矢印Ｂの方向へと回転し、前記第１のラックギア５ａと同じく前記ピニオンギア７に噛合する第２のラックギア６ａが形成された第２のディスク検知部材６は矢印Ｃの方向へ摺動する。
【００２８】
図５は図４の状態から欠歯によって第１のディスク検知部材および第２のディスク検知部材の摺動動作が規制された状態を示すディスク装置の部分概略透視図である。ピニオンギア７の歯が第１のラックギア５ａに形成された欠歯５ｂにさしかかったところで、第２のラックギア６ａの歯先に前記ピニオンギア７の別の歯先が当たり、前記ピニオンギア７の回転を強制的に停止させている。これは、ディスク２の挿入によって第１のディスク検知部材５のみが摺動するために生じるものであり、第２のディスク検知部材６に形成された第２のラックギア６ａとピニオンギア７の噛合するタイミングが欠歯６ｂによってズレるためである。その結果、ユーザーによって挿入されたディスク２の外周縁が当接し、前記ディスク２の押圧力によって摺動する第１のディスク検知部材５、および前記ピニオンギア７を介して摺動する第２のディスク検知部材６は図５で示す状態より摺動することができなくなる。
【００２９】
図６は本考案の実施例におけるディスク装置の挿入口からディスクの外周縁が第２の当接部にのみ当接するよう挿入した場合を示す部分概略透視図である。同図で示すように、挿入口４よりユーザーによってディスク２が前記挿入口４の図示右側から偏って挿入されたならば、前記ディスク２の外周縁が第２のディスク検知部材６に形成された第２の当接ピン６ｃに当接し、前記第２のディスク検知部材６は前記ディスク２の押圧力によって矢印Ｃの方向へ摺動する。そして、前記第２のディスク検知部材６の摺動に伴って、第２のラックギア６ａに噛合するピニオンギア７が矢印Ｂの方向へと回転し、前記第２のラックギア６ａと同じく前記ピニオンギア７に噛合する第１のラックギア５ｂが形成された第１のディスク検知部材５は矢印Ａの方向へ摺動する。
【００３０】
図７は図６の状態から欠歯によって第１のディスク検知部材および第２のディスク検知部材の摺動動作が規制された状態を示すディスク装置の部分概略透視図である。前記挿入口４の図示左側から偏って前記ディスク２を挿入した場合と同じく、ピニオンギア７の歯が第２のラックギア６ａに形成された欠歯６ｂにさしかかったところで、第１のラックギア５ａの歯先に前記ピニオンギア７の別の歯先が当たり、前記ピニオンギア７の回転を強制的に停止させている。これは、ディスク２の挿入によって第２のディスク検知部材６のみが摺動するために生じるものであり、第１のディスク検知部材５に形成された第１のラックギア５ａとピニオンギア７の噛合するタイミングが欠歯５ｂによってズレるためである。その結果、ユーザーによって挿入されたディスク２の外周縁が当接し、前記ディスク２の押圧力によって摺動する第２のディスク検知部材６、および前記ピニオンギア７を介して摺動する第１のディスク検知部材５は図７で示す状態より摺動することができなくなる。
【００３１】
図８は本考案の実施例におけるディスク装置の挿入口からディスクの外周縁が第１の当接部および第２の当接部に当接するよう挿入した場合を示す部分概略透視図である。同図で示すように、挿入口４よりユーザーによってディスク２が前記挿入口４の略中央より挿入されたならば、前記ディスク２の外周縁が第１のディスク検知部材５に形成された第１の当接ピン５ｃと第２のディスク検知部材６に形成された第２の当接ピン６ｃにそれぞれ当接し、前記第１のディスク検知部材５は前記ディスク２の押圧力によって矢印Ａの方向へ摺動し、前記第２のディスク検知部材６は前記ディスク２の押圧力によって矢印Ｃの方向へ摺動する。
【００３２】
図９は図８の状態から第１のディスク検知部材および第２のディスク検知部材が互いに離間した状態を示す部分概略透視図である。ピニオンギア７の歯が第１のラックギア５ａに形成された欠歯５ｃおよび第２のラックギア６ａに形成された欠歯６ｃにさしかかったところで、前記ピニオンギア７は前記第１のラックギア５ａおよび前記第２のラックギア６ａと噛合しないことから一時的に回転を停止するが、前記欠歯５ｃと前記欠歯６ｃを過ぎた位置まで前記第１のディスク検知部材５および前記第２のディスク検知部材６が互いに離間する方向へ摺動することで、前記第１のラックギア５ａと前記第２のラックギア６ａは前記ピニオンギア7と再度噛合して回転する。すなわち、挿入されたディスク２の外周縁に第１の当接ピン５ｃと第２の当接ピン６ｃが当接して前記第１のディスク検知部材５と前記第２のディスク検知部材６がほぼ同時に摺動することによって、欠歯５ｃまたは欠歯６ｃによる前記第１のディスク検知部材５または前記第２のディスク検知部材６の摺動規制を解除することができる。その結果、前記ディスク２を挿入する際に生じる押圧力によって、前記第１のラックギア５ａが形成された第１のディスク検知部材５および前記第２のラックギア６ａが形成された第２のディスク検知部材６は互いに離間する方向へ摺動する。
【００３３】
前記欠歯５ｃまたは前記欠歯６ｃによる前記第１のディスク検知部材５または前記第２のディスク検知部材６の摺動規制は、換言すれば、前記挿入口４に対する前記ディスク２の挿入位置の制限となる。すなわち、ディスク装置１の挿入口４より挿入されたディスク２をできるだけ前記挿入口４の略中央位置より挿入することを目的としている。本実施例のようなディスク装置１に使用できるディスクとして大別すると、直径が１２０ｍｍの大径ディスクと直径が８０ｍｍの小径ディスクがある。そして、挿入口４は、一般的に大径ディスクが挿入可能な大きさとしている。本実施例では、大径ディスクまたは小径ディスクの何れかが挿入された場合であっても、前記挿入口４の略中央より挿入を可能としている。なお、図４〜図９で示すディスク２は大径ディスクであり、小径ディスクを挿入する場合であっても同様の効果を奏することを言及し、詳細については割愛する。
【００３４】
つぎに、挿入口４から挿入されたディスクの搬送手段について説明する。図２で示すように、フレーム３の上部には、前記第１のディスク検知部材５が摺動することによってスイッチのＯＮ／ＯＦＦが行われる第１のスイッチ９と第２のスイッチ１０が併設されたスイッチ基板１１が取り付けられている。前記第１のスイッチ９および前記第２のスイッチ１０は、後述するローラーを回転させるモーターの駆動または停止を制御するためのものである。
【００３５】
具体的には、ディスク装置１の挿入口４からディスク２が挿入されたことによって摺動する第１のディスク検知部材５が前記第１のスイッチ９を押圧することでモーターが駆動し、前記ローラーはモーターの動力によってディスク２をディスク装置１内部の所定位置へ搬送するために回転する。そして、前記ディスク２が前記ディスク装置１内部の所定位置に到達した時点で再び前記第１のスイッチ９が押圧され、前記モーターは停止し、前記ディスク２を前記ディスク装置１内部の所定位置へ搬送するために回転していたローラーも停止する。
【００３６】
一方、前記第２のスイッチ１０は、前記ディスク装置１内部の所定位置から挿入口４へディスク２を搬送するために回転するローラーの動力源たるモーターを停止するために設けられている。すなわち、前記第１のディスク検知部材５が前記第２のスイッチ１０を押圧した状態から前記押圧状態が解除可能な位置まで摺動することによって、前記モーターは停止し、前記ディスク２を前記挿入口４へ搬送するために回転していたローラーも停止する。なお、本実施例で述べる「搬送」とは、ディスク装置１の挿入口４から前記ディスク装置１内部の所定位置へディスク２を搬入すること、或いは、前記ディスク装置１内部の所定位置から前記ディスク装置１の挿入口４へディスクを搬出することを総じて称し、以下、説明を続ける。
【００３７】
つぎに、挿入口４より挿入されたディスク２を搬送するローラーの動力伝達機構について説明する。図１０は本考案の実施例におけるローラーの動力伝達機構を示す斜視図である。本実施例では、ディスク装置１の後方側にモーター２１を配置し、前記モーター２１の先端にはプーリー２２を取着している。そして、前記モーター２１と間隔をあけてプーリーとギアを一体に形成したプーリーギア２４を配置し、前記プーリー２１と前記プーリーギア２４にベルト２３を掛け、前記モーター２１の動力によって前記プーリーギア２４を回転させる構造としている。
【００３８】
一方、挿入口４の内面側であって、前記第１の当接ピン５ｃおよび前記第２の当接ピン６ｃよりも後方側には、挿入されたディスク２の下面側より当接するローラー１７が設けられている。前記ローラー１７は、軸（以下、揺動部材回転軸と称す）１８ａ，１８ａを支点に揺動可能とする揺動部材１８の端部において回転可能に取付けられている。そして、前記揺動部材１８は第２の付勢手段によって前記ローラー１７が前記挿入口４より挿入されたディスク２に当接する方向へ常時付勢されており、詳細については後述する。また、前記ローラー１７は、両端部から略中央に向かってその径が小さくなる形状としている。これは、前記挿入口４より挿入されたディスク２の外周縁近傍に当接させ、前記ディスクの面に前記ローラー１７が当接することによる損傷や汚れの付着などを防ぐために行っている。
【００３９】
ところで、前記ローラー１７の一方端部にはギア（以下、ローラーギアと称す）２０が取着されている。これは、前記モーター２１の動力を前記ローラー１７に伝達するために設けられており、前記プーリーギア２４と前記ローラーギア２０の間には、前記モーター２１の回転速度をディスク２の搬送に適した速度に変換するための、また、後述するスライダーを摺動させる動力を伝達するための、複数のギアによって構成されたギア機構２５が配置されている。
【００４０】
前述の構成により、ディスク装置１の挿入口４より挿入するディスク２は、モーター２１の動力によって回転するローラー１７によって装置内部の所定位置へと搬送される。なお、前記ローラー１７の回転は以下の手順によって行われる。
（１）ディスク装置１の挿入口４よりディスク２を挿入する。
（２）第１の当接ピン５ｃおよび第２の当接ピン６ｃがディスク２の外周に当接し、第１のディスク検知部材５および第２のディスク検知部材６が互いに離間する方向へ摺動する。
（３）前記ディスク２の挿入に伴って摺動する前記第１のディスク検知部材５がスイッチ基板１１に配設された第１のスイッチ９を押圧し、前記第１のスイッチ９はＯＦＦからＯＮになる。
（４）前記第１のスイッチ９がＯＦＦからＯＮになることでモーター２１が回転駆動する。
（５）前記モーター２１の回転動力がプーリー２２，ベルト２３，プーリーギア２４，ギア機構２５，ローラーギア２０を介してローラー１７に伝達され、前記ローラー１７はディスク２をディスク装置１内部へ搬送するために回転する。
【００４１】
つぎに、ローラー１７が取付けられた揺動部材について詳述する。図１１は本考案の実施例における揺動部材を示す天面側斜視図、図１２は同底面側斜視図、図１３は本考案の実施例におけるディスク装置の底面側斜視図である。同図で示すように、揺動部材１８には、後方側にローラー１７を回転可能に取付け、前方側に遮蔽部１８ｂを一体に形成している。また、前記揺動部材１８の両端部には揺動部材回転軸１８ａ，１８ａが形成されており、前記揺動部材１８の底面側には第２の付勢手段たるコイルスプリング１９の一端を係止する係止部（以下、揺動部材側係止部と称す）１８ｃが形成されている。前記揺動部材側係止部１８ｃは前記揺動部材回転軸１８ａ，１８ａよりも前方側に形成されており、前記コイルスプリング１９の他端はフレーム３に形成された係止部（以下、フレーム側係止部と称す）３ａに係止している。すなわち、前記揺動部材１８は前記コイルスプリング１９の付勢力によって前記揺動部材回転軸１８ａ，１８ａを支点に前記遮蔽部１８ｂが下降し、前記ローラー１７が上昇した状態となっている。
【００４２】
前述の状態をコイルスプリング１９の付勢力によって維持することで、挿入口４より挿入されたディスク２の下面側外周縁に前記ローラー１７を当接することができる。なお、前記遮蔽部１８ｂはディスク装置１内部の所定位置にディスク２が挿入された後で別のディスクの挿入を防止するために設けたものである。具体的に述べれば、揺動部材１８の一方端部には、揺動部材回転軸１８ａとは別に突出部１８ｄが形成されており、後述するスライダーによって前記突出部１８ｄを押圧することで、前記揺動部材１８は前記揺動部材回転軸１８ａ，１８ａを支点にコイルスプリング１９の付勢力に抗して前記遮蔽部１８ｂが上昇するように揺動する。そして、前記遮蔽部１８ｂが上昇することで別のディスクの挿入を防止することが可能となる。
【００４３】
なお、前記コイルスプリング１９は、前記揺動部材１８の前記突出部１８ｄ近傍に設けるのが望ましい。これは、前記コイルスプリング１９の付勢力に抗して強制的に揺動する前記揺動部材１８の捩れを抑えるためである。後述するスライダーによって前記突出部１８ｄを押圧することで前記揺動部材回転軸１８ａ，１８ａを支点に揺動する前記揺動部材１８は、前記コイルスプリング１９によって常時付勢力が掛かるため、例えば、前記突出部１８ｄが形成されていない前記揺動部材１８の他方端部側に前記コイルスプリング１９を設ける構造とするならば、前記揺動部材１８は捩れて揺動動作に不具合が生じたり、或いは、前記揺動部材１８に取付けられたローラー１７によるディスク２の搬送にも影響を与えることが考えられる。
【００４４】
ところで、本実施例のディスク装置１は、挿入口４から大径ディスクまたは小径ディスクの何れにおいても挿入を可能としているが、前記ディスク装置１内部の所定位置へ到達する前に小径ディスクは強制的に前記挿入口４側へ搬送され、実際には大径ディスクのみ再生または記録を可能としている。すなわち、本考案の実施例では、ディスク装置１の挿入口４から挿入された大径ディスク２または小径ディスク２ａの外径に沿って摺動する第１のディスク検知部材５および第２のディスク検知部材６を設け、前記第１のディスク検知部材５が摺動することによってＯＮまたはＯＦＦとなる第１のスイッチ９および第２のスイッチ１０を前記第１のディスク検知部材５の摺動軌道上に並設し、前記第１のスイッチ９および前記第２のスイッチ１０のＯＮまたはＯＦＦの状態を検知して前記挿入口４より挿入されたディスクの判別を行うとともに、前記挿入されたディスクが小径ディスクであるならば、ディスク装置１内部の所定位置へ搬送する前にローラー１７を逆回転させて強制的に挿入口４側へ搬送するよう制御している。
【００４５】
つぎに、ディスク装置１内部の所定位置に到達したディスク２を上方より押圧するクランパーの構造および動作について図１４〜図１９を用いて説明する。図１４は本考案の実施例におけるクランパーの構造を示す分解斜視図、図１５は本考案の実施例におけるフレーム単体の正面側斜視図、図１６は本考案の実施例におけるクランパーが上方位置にある状態を示す前記クランパー近傍の側面側概略部分拡大図、図１７は図１６の状態であって、クランパー、支持部材、スライダーの関係を示す斜視図、図１８は本考案の実施例におけるクランパーが下方位置にある状態を示す前記クランパー近傍の側面側概略部分拡大図、図１９は図１８の状態であって、クランパー、支持部材、スライダーの関係を示す斜視図である。
【００４６】
クランパー１２は、ディスク装置１の後方側において揺動可能とする支持部材１３に取付けられている。詳述すれば、クランパー１２は、挿入されたディスクに直接当接するクランパー本体１２ａと、前記クランパー本体１２ａの収納部分に収納された磁石１２ｂと、前記クランパー本体１２ａに前記磁石１２ｂを収納した状態で前記クランパー本体１２ａの上部より取付けるプレート部材１２ｃによって構成されている。そして、前記支持部材１３には、前記クランパーを回転可能に支持するクランパー取付部分１３ａが形成されており、前記クランパー取付部分１３ａを介して前記クランパー本体１２ａに前記プレート部材１２ｃを取付けている。
【００４７】
また、前記支持部材１３には、フレーム３に対して揺動可能とする枢支孔１３ｃ，１３ｃが形成されており、前記フレーム３の後方には、前記支持部材１３の前記枢支孔１３ｃ，１３ｃが遊嵌する枢支突起３ｂ，３ｂが形成されている。すなわち、支持部材１３のクランパー取付部分１３ａにおいて回転可能に取付けられたクランパー１２を有する支持部材１３は、フレーム３に形成された枢支突起３ｂ，３ｂに遊嵌する枢支孔１３ｃ，１３ｃを支点として上下方向へ揺動可能としている。
【００４８】
そして、前記フレーム３には、前記枢支突起３ｂ，３ｂが形成された位置よりも高い位置にフレーム上部３ｃが形成されている。前記フレーム上部３ｃには、前述した第１のディスク検知部材５と、第２のディスク検知部材６と、ピニオンギア７と、第１のスイッチ９および第２のスイッチ１０が配設されたスイッチ基板１１が取付けられる構造としている。
【００４９】
また、前記フレーム上部３ｃには、前記クランパー１２の一部が露出する円形状孔３ｄが形成されており、前記フレーム３の後方には、前記支持部材１３の一部が挿通可能な開口部３ｅが形成されている。すなわち、フレーム３の枢支突起３ｂ，３ｂに遊嵌する枢支孔１３ｃ，１３ｃを支点に揺動可能とする支持部材１３は、クランパー１２を取付けたクランパー取付部分１３ａを開口部３ｅより前記フレーム３の内部に挿通し、前記フレーム３内部において前記クランパー１２を揺動可能な構造としている。
【００５０】
そして、前記クランパー１２を前記フレーム上部３ｃ側となる上方位置へ揺動するならば、前記クランパー１２のプレート部材１２ｃは前記フレーム３の円形状孔３ｄ内に挿通し、前記クランパー本体１２ａの一部が前記フレーム上部３ｃと当接して、前記クランパー１２は前記フレーム上部３ｃに対し略平行となる。詳述すれば、前記支持部材１３のクランパー取付部分１３ａには、絞り加工によって凸部１３ｄ，１３ｄが形成されており、前記クランパー１２が上昇する方向へ前記支持部材１３を揺動することで、前記クランパー１２を構成するクランパー本体１２ａの前方側が前記フレーム上部３ｃに当接し、前記クランパー１２は前記クランパー取付部分１３ａ上で前記凸部１３ｄ，１３ｄを支点に回動して、前記フレーム上部３ｃに対し略平行となる。
【００５１】
これは、挿入口４より挿入されたディスク２が搬送途中で前記クランパー１２と接触するのを防止するためである。例えば、クランパー取付部分１３ａに凸部１３ｄ，１３ｄが形成されなかった場合、前記クランパー１２が上昇する方向へ前記支持部材１３を揺動しても前記クランパー１２は前記フレーム上部３ｃに対して傾いたままとなり、挿入口４より挿入されたディスク２と前記クランパー１２が接触する危険性が生じる。また、ディスク２とクランパー１２の接触を防ぐために前記クランパー１２をさらに上昇させるよう構造を変更するならば、前記フレーム３のフレーム上部３ｃをさらに高い位置へ変更する必要があり、ディスク装置１の大型化を招く虞がある。本考案の実施例によれば、上方位置にあるクランパー１２をフレーム上部３ｃと略平行とし、ディスク装置１の高さを必要最小限として挿入口４より挿入されたディスク２との接触を確実に防止できる。
【００５２】
なお、前記支持部材１３は第３の付勢手段となるコイルスプリング２６（図１０参照）によって、クランパー１２が下方位置へ揺動する方向、すなわち、挿入されたディスク２の上面側をディスク装置１内部の所定位置において前記クランパー１２によって押圧する方向に常時付勢力が働いている。そして、後述するスライダーにより、ディスク装置１内部にディスク２が挿入されていないときには、前記コイルスプリング２６の付勢力に抗して前記クランパー１２が上方位置にあるよう前記支持部材１３を強制的に揺動させた構造としている。
【００５３】
また、前記支持部材１３には円弧状長孔１３ｂが形成されている。そして、前記円弧状長孔１３ｂに挿通する第３の当接ピン１４ａが形成された支持レバー１４がフレーム上部３ｃに揺動可能に取り付けられている。詳述すれば、前記フレーム上部３ｃには、前記支持レバー１４を取付けるための支持レバー回転軸１５が一体に形成されており、前記支持レバー１４は前記支持レバー回転軸１５を支点に揺動可能としている。挿入口４から挿入されたディスク２は、モーター２１の駆動力によって回転するローラー１７によってディスク装置１内部の所定位置へ搬送されるが、前記ディスク装置１の後方において前記ディスク２の外周縁が第３の当接ピン１４ａに当接し、前記第３の当接ピン１４ａは搬送される前記ディスク２に押圧されて、前記支持レバー１４は支持レバー回転軸１５を支点に揺動する。
【００５４】
さらに、前記フレーム上部３ｃには、ディスク装置１の前後方向へ摺動可能とするスライダー１６が取付けられている。そして、前記支持レバー１４と前記スライダー１６は連結されており、ディスク２の搬送に伴って揺動する前記支持レバー１４の揺動動作に連動して前記スライダー１６が摺動する構造としている。また、前記スライダー１６は、後方側に高位置と低位置を傾斜部によって連結した第１のカム部１６ａを形成しており、支持部材１３には、前記第１のカム部１６ａに当接する当接部１３ｅが形成されている。すなわち、ディスク装置１内部にディスク２が挿入されていないときには、スライダー１６に形成された第１のカム部１６ａの高位置に支持部材１３の当接部１３ｅが当接しているため、コイルスプリング２６の付勢力に抗して前記支持部材１３はクランパー１２が上方位置にある状態（図１７参照）となっているが、前記ディスク２がディスク装置１内部の所定位置に到達すれば、前記スライダー１６は摺動し、前記当接部１３ｅは前記第１のカム部に沿って前記高位置から低位置へ移動するため、前記支持部材１３は前記コイルスプリング２６の付勢力によってフレーム３に形成された枢支突起３ｂ，３ｂに遊嵌する枢支孔１３ｃ，１３ｃを支点として揺動し、前記クランパー１２が下方位置にある状態（図１９参照）となる。
【００５５】
つぎに、スライダーの具体的な形状および機能について図２０〜図２４を用いて説明する。図２０は本考案の実施例におけるスライダー単体の天面側斜視図、図２１は本考案の実施例におけるスライダー単体の底面側斜視図、図２２は本考案の実施例におけるディスク挿入前の状態を示すディスク装置の概略透視平面図、図２３は本考案の実施例におけるディスクを挿入して支持レバーが揺動した状態を示すディスク装置の概略透視平面図、図２４は本考案の実施例におけるスライダーが摺動してディスクの挿入が完了した状態を示すディスク装置の概略透視平面図である。
【００５６】
本考案の実施例におけるスライダー１６は、フレーム３の上面と側面にかかる形状を成している。そして、前記スライダー１６には、前記支持レバー１４と連結するための連結突起１６ｂが形成されている。一方、前記支持レバー１４には前記スライダー１６の連結突起１６ｂが遊嵌する長孔１４ｂが形成されている。すなわち、前記スライダー１６の連結突起１６ｂが前記支持レバー１４の長孔１４ｂに遊嵌することで連結しており、支持レバー回転軸１５を支点とする前記支持レバー１４の揺動動作に連動して前記スライダー１６は僅かに摺動する構造となっている。
【００５７】
また、前記スライダー１６には、底面側にラックギア（以下、第３のラックギアと称す）１６ｃが形成されている。これは、モーター２１の動力によって回転するギア機構２５と噛合するために形成されており、ディスク２の挿入前の状態では、前記第３のラックギア１６ｃと前記ギア機構２５は噛合しておらず、挿入口４より挿入されたディスク２の外周縁が第３の当接ピン１４ａを押圧して前記支持レバー回転軸１５を支点に支持レバー１４が揺動する動作に連動して前記スライダー１６が僅かに摺動することで、前記第３のラックギア１６ｃと前記ギア機構２５は噛合する構造となっている。そして、前記第３のラックギア１６ｃと前記ギア機構２５が噛合するならば、前記スライダー１６は前記モーター２１の駆動力によってディスク装置１の前方側へ摺動する。
【００５８】
また、前記スライダー１６の側面前方側には、挿入されたディスク２の下面側外周縁にローラー１７を当接するための揺動部材１８を前記ローラー１７が前記ディスク２から離間する方向へ強制的に揺動させるための第２のカム部１６ｄが形成されている。これは、前記揺動部材１８の一方端部に形成された突出部１８ｄが前記スライダー１６の摺動動作に伴って前記第２のカム部１６ｄに当接するとともに、前記第２のカム部１６ｄに沿って前記突出部１８ｄが移動することで、前記揺動部材１８は前記揺動部材回転軸１８ａ，１８ａを支点に第２の付勢手段たるコイルスプリング１９の付勢力に抗して、前記遮蔽部１８ｂが前記挿入口４を閉塞するように上昇し、前記ローラー１７が前記ディスク２より離間するように下降する方向へ揺動する構造となっている。
【００５９】
すなわち、ディスク２がディスク装置１内部の所定位置において再生または記録が可能な状態となったならば、挿入口４から別のディスクが挿入されるのを防止するために、前記スライダー１６によって前記揺動部材１８を強制的に揺動させ、前記遮蔽部１８ｂを用いて前記挿入口４を内面側より閉塞し、あわせて、再生または記録を行う前記ディスク２から前記ローラー１７を離間させている。
【００６０】
また、前記スライダー１６の平面前方側には第３のカム部１６ｅが形成されている。これは、第１のディスク検知部材５を強制的に摺動させるために設けられており、前記スライダー１６がディスク装置１の前方側へ摺動する動作が完了する直前で前記第１のディスク検知部材５を僅かに摺動させ、前記第１のディスク検知部材５によってスイッチ基板１１に配設された第１のスイッチ９を押圧することでモーター２１の駆動を停止する構造としている。そして、挿入口４より挿入されたディスク２を搬送する場合において、前述の動作により前記モーター２１を停止させたときが、ディスク装置１内部の所定位置に前記ディスク２が到達し、前記ディスク２の再生または記録が可能な状態となったことをあらわしている。
【００６１】
なお、前記第１のディスク検知部材５の強制的な摺動動作は、前記第１のスイッチ９を押圧して前記モーター２１を停止させる機能とあわせて、ディスク装置１内部の所定位置に到達した前記ディスク２の外周縁より第１の当接ピン５ｃおよび第２の当接ピン６ｃを離間させる機能を有している。すなわち、前記スライダー１６に形成された第３のカム部ｅによって僅かに摺動する第１のディスク検知部材５はピニオンギア７を介して第２のディスク検知部材６と連結されているため、前記第１のディスク検知部材５の摺動動作にあわせて前記第２のディスク検知部材６も摺動し、前記第１のディスク検知部材５と一体に形成された第１の当接ピン５ｃと前記第２のディスク検知部材６と一体に形成された第２の当接ピン６ｃは、ディスク２の外周縁より離間する。
【００６２】
また、前記支持レバー１４の長孔１４ｂには前記スライダー１６に形成された連結突起１６ｂが遊嵌して互いに連結された状態にあり、前述した前記スライダー１６の僅かな摺動動作の他にディスク装置１内部の所定位置に搬送されたディスク２より前記支持レバー１４を離間する動作にも関係している。すなわち、第３のラックギア１６ｃとギア機構２５が噛合してモーター２１の駆動力によって摺動する前記スライダー１６の連結突起１６ｂが前記支持レバー１４の長孔１４ｂに沿って移動し、前記連結突起１６ｂが前記長孔１４ｂの端部を押圧することで前記支持レバー１４は支持レバー回転軸１５を支点に揺動し、前記支持レバー１４に形成された第３の当接ピン１４ａは前記ディスク装置１内部の所定位置に到達したディスク２の外周縁より離間する。
【００６３】
また、前記第３のカム部１６ｅの前方側には突片１６ｆが形成されている。そして、前記第１のディスク検知部材５のスライダー１６側端部には突起部５ｄが形成されている。前記突片１６ｆおよび前記突起部５ｄは、ディスク装置１にディスク２を挿入する前において、スライダー１６に形成された第３のラックギア１６ｃとギア機構２５が噛合するのを防止するために、前記第１のディスク検知部材５に形成された突起部５ｄに前記スライダー１６に形成された突片１６ｆを当接させて、前記スライダー１６の不用意な摺動を抑えている。なお、前述の「不用意な摺動」とは、例えば、ディスク装置１を内蔵する電子機器の外部から過剰な衝撃を加えられた場合などを示す。
【００６４】
つぎに、ディスク装置１内部の所定位置においてディスク２の再生または記録を行うトラバースユニットについて図２５および図２６を用いて説明する。図２５は本考案の実施例におけるディスク装置の分解斜視図、図２６は本考案の実施例におけるトラバースユニットを示す斜視図である。
【００６５】
本実施例で示すトラバースユニット２７は、ディスク２を回転可能とするターンテーブル２９と、ディスク装置１内部の所定位置において前記ターンテーブル２９によって回転する前記ディスク２にレーザー光を照射し、前記ディスク２に予め記録された情報を読み込み再生する、および／または、前記ディスク２に情報を書き込み記録する、ことが可能なピックアップユニット３０と、を主要部品としてベース部材２８に取付け構成している。そして、前記トラバースユニット２７は、ディスク装置１のフレーム３にネジを用いて締結されており、前記ディスク装置１内部の所定位置に挿入されたディスク２は、揺動する支持部材１３に取付けられたクランパー１２によって押下げられ、前記クランパー１２と前記ターンテーブル２９によって前記ディスク２を挟持する構造としている。なお、ディスク装置１内部の所定位置より前記ディスク２を挿入口４側へ搬送するときには、前記スライダー１６が摺動して揺動部材１８の強制的な揺動状態が解除され、前記揺動部材１８はコイルスプリング１９の付勢力によってローラー１７がディスク２の下面側外周縁に当接するよう揺動部材回転軸１８ａ，１８ａを支点に揺動するとともに、前記ディスク２を前記ターンテーブル２９から離間するように持ち上げる力が発生する。また、前記スライダー１６の摺動動作によって、前記ディスク２を上方側より押圧していたクランパー１２は、コイルスプリング２６の付勢力に抗してフレーム３に形成された枢支突起３ｂ，３ｂに遊嵌する枢支孔１３ｃ，１３ｃを支点に揺動する支持部材１３の揺動動作に伴って上方位置へ移動する。
【００６６】
以上、本考案の一実施例について詳述したが、本考案は前記実施例に限定されるものではなく、本考案の要旨の範囲内で種々の変形実施が可能である。
【符号の説明】
【００６７】
１    ディスク装置
２    ディスク（大径ディスク）  
３    フレーム
３ａ  フレーム側係止部
３ｂ  枢支突起
３ｃ  フレーム上部
３ｄ  円形状孔
３ｅ  開口部
４    挿入口
５    第１のディスク検知部材
５ａ  第１のラックギア
５ｂ  欠歯
５ｃ  第１の当接ピン
５ｄ  突起部
６    第２のディスク検知部材
６ａ  第２のラックギア
６ｂ  欠歯
６ｃ  第２の当接ピン
７    ピニオンギア
８    コイルスプリング（第１の付勢手段）
９    第１のスイッチ
１０    第２のスイッチ
１１    スイッチ基板
１２    クランパー
１２ａ  クランパー本体
１２ｂ  磁石
１２ｃ  プレート部材
１３    支持部材
１３ａ  クランパー取付部分
１３ｂ  円弧状長孔
１３ｃ  枢支孔
１３ｄ  凸部
１３ｅ  当接部
１４    支持レバー
１４ａ  第３の当接ピン
１４ｂ  長孔
１５    支持レバー回転軸
１６    スライダー
１６ａ  第１のカム部
１６ｂ  連結突起
１６ｃ  第３のラックギア
１６ｄ  第２のカム部
１６ｅ  第３のカム部
１６ｆ  突片
１６ｇ  係止部
１７    ローラー
１８    揺動部材
１８ａ  揺動部材回転軸
１８ｂ  遮蔽部
１８ｃ  揺動部材係止部
１８ｄ  突出部
１９    コイルスプリング（第２の付勢手段）
２０    ローラーギア
２１    モーター
２２    プーリー
２３    ベルト
２４    プーリーギア
２５    ギア機構
２６    コイルスプリング（第３の付勢手段）
２７    トラバースユニット
２８    ベース部材
２９    ターンテーブル
３０    ピックアップユニット
【図１】
0003168146.tif 000003
【図２】
0003168146.tif 000004
【図３】
0003168146.tif 000005
【図４】
0003168146.tif 000006
【図５】
0003168146.tif 000007
【図６】
0003168146.tif 000008
【図７】
0003168146.tif 000009
【図８】
0003168146.tif 000010
【図９】
0003168146.tif 000011
【図１０】
0003168146.tif 000012
【図１１】
0003168146.tif 000013
【図１２】
0003168146.tif 000014
【図１３】
0003168146.tif 000015
【図１４】
0003168146.tif 000016
【図１５】
0003168146.tif 000017
【図１６】
0003168146.tif 000018
【図１７】
0003168146.tif 000019
【図１８】
0003168146.tif 000020
【図１９】
0003168146.tif 000021
【図２０】
0003168146.tif 000022
【図２１】
0003168146.tif 000023
【図２２】
0003168146.tif 000024
【図２３】
0003168146.tif 000025
【図２４】
0003168146.tif 000026
【図２５】
0003168146.tif 000027
【図２６】
0003168146.tif 000028